(57)【要約】【課題】レーザダイオードの保持力を低下させずに、レーザダイオードの取り付け、及び取り外しが容易なレーザホルダユニット、及びこれを用いた光ディスク装置を低コストで提供する。【解決手段】レーザダイオードが設けられたレーザダイオード２を保持するレーザホルダユニット１０であって、レーザダイオード２を保持する保持部１１と、当該保持部１１を介して互いに対向する、第１側面４０及び第２側面５０と、を有する保持部材１と、第１側面４０と第２側面５０とを、外方から保持部１１の方向に挟みつける保持強化部材３と、を備える。【選択図】図３
2014235769.tif 000002
【特許請求の範囲】
【請求項１】
レーザダイオードを保持するレーザホルダユニットであって、
前記レーザダイオードを保持する保持部と、当該保持部を介して互いに対向する、第１側面及び第２側面と、を有する保持部材と、
前記第１側面と前記第２側面とを、外方から前記保持部の方向に挟みつける保持強化部材と、
を備えるレーザホルダユニット。
【請求項２】
前記レーザダイオードは、当該レーザダイオードを前記保持部材内で支持するための鍔状の支持部を有し、
前記保持部材は、さらに、前記第１側面及び前記第２側面と交差する、２つの交差面を有し、
前記２つの交差面のうちいずれか一方には、前記支持部を突出させる切欠が形成されている
請求項１に記載のレーザホルダユニット。
【請求項３】
前記レーザダイオードは、当該レーザダイオードを前記レーザホルダ内で支持するための鍔状の支持部を有し、
前記保持部材は、さらに、前記第１側面及び前記第２側面と交差する、２つの交差面を有し、
前記各交差面には、前記支持部を突出させる切欠が形成されている
請求項１に記載のレーザホルダユニット。
【請求項４】
前記保持強化部材には、前記レーザダイオードが有する複数の端子を、当該保持強化部材から突出させる開口が１つ形成されている
請求項１〜３のいずれか１項に記載のレーザホルダユニット。
【請求項５】
前記保持強化部材には、前記レーザダイオードが有する複数の端子の数だけ、各端子を前記保持強化部材から突出させる開口が形成されている
請求項１〜３のいずれか１項に記載のレーザホルダユニット。
【請求項６】
前記レーザダイオードは、当該レーザダイオードの複数の端子が設けられた端子面を有し、
前記保持強化部材は、当該保持強化部材によって前記第１側面と前記第２側面とが挟み付けた際に前記端子面と平行となる平行部を有し、
前記平行部には、放熱凹部が形成されている
請求項１〜５のいずれか１項に記載のレーザホルダユニット。
【請求項７】
前記保持強化部材は、前記第１側面に取り付けられる第１保持強化部材と、前記第２側面に取り付けられる第２保持強化部材とが連結して構成されている
請求項１〜６のいずれか１項に記載のレーザホルダユニット。
【請求項８】
前記保持部材及び前記保持強化部材は、金属材料で形成されている
請求項１〜７のいずれか１項に記載のレーザホルダユニット。
【請求項９】
請求項１〜８のいずれか１項に記載のレーザホルダユニットと、
光ディスクにレーザ光を照射し、当該光ディスクからの反射光を電圧信号に変換して、当該電圧信号を出力する光ピックアップ装置と、
前記光ピックアップ装置により出力された前記電圧信号を処理して、前記光ディスクに記憶されているデータを再生する再生部と、を備える
光ディスク装置。
【発明の詳細な説明】
【技術分野】
【０００１】
本発明は、レーザダイオードを保持するレーザホルダユニット、およびこれを用いた光ディスク装置に関する。
【背景技術】
【０００２】
従来から、ＤＶＤプレイヤー、ブルーレイプレイヤー、ＤＶＤレコーダー、ブルーレイレコーダーなどの装置において、レーザ光を照射するレーザダイオードが用いられている。このレーザダイオードは、装置内において、レーザホルダに保持された状態で使用される。このようなレーザホルダは、特許文献１に例示されている。
【０００３】
図１０は、従来のレーザホルダの構成を示した斜視図である。図１１は、従来のレーザホルダにレーザダイオードを保持させた際に生じる課題について説明するための斜視図である。
【０００４】
なお、図１０及び図１１において左方向を矢印Ｘ１で表し、右方向を矢印Ｘ２で表す。また、上方向を矢印Ｙ１で表し、下方向を矢印Ｙ２で表す。さらに、前方向を矢印Ｚ１で現し、後方向を矢印Ｚ２で表す。
【０００５】
レーザダイオード２００は、図１１に示すように、鍔状の支持部２０１と、円筒部２０２と、複数の端子２０３とを備える。支持部２０１は、レーザダイオード２００をレーザホルダ１００内で支持するための部材である。この支持部２０１は、円筒部２０２内の発光素子（不図示）を支持する。
【０００６】
円筒部２０２は、例えば、金属部材からなり、支持部２０１の前方に配置され、前記発光素子を収納している。複数の端子２０３は、支持部２０１の上方に突出している。
【０００７】
レーザホルダ１００には、図１０に示すように、その前後方向に、レーザダイオード２００を保持する保持部１０１が形成されている。保持部１０１には開口１０１Ａが形成されており、開口１０１Ａの方向には、リブ１０１Ｂと、凹曲面１０１Ｃとが設けられている。
【０００８】
開口１０１Ａには、円筒部２０２が挿入される。リブ１０１Ｂは、開口１０１Ａの後方において、支持部２０１を支持するために設けられており、凹曲面１０１Ｃに沿って複数設けられている。凹曲面１０１Ｃには、先述のように、複数のリブ１０１Ｂが設けられている。
【０００９】
レーザホルダ１００は、保持部１０１を基準として、左右それぞれに第１壁１０４と第２壁１０５とを備える。
【００１０】
第１壁１０４は左側面１０６を有し、第２壁１０５はその右側面１０７を有する。レーザホルダ１００では、これら左側面１０６及び右側面１０７に直交するように、直交面１０２及び１０３が形成されている。
【００１１】
直交面１０２及び１０３には、レーザホルダ１００の上下方向の長さｈを小さくするために、つまり、上下方向の薄型化を図るために、レーザダイオード２００の支持部２０１を突出させるための切欠１０２Ａ、１０３Ａが各々形成されている。
【００１２】
このような構成のレーザホルダ１００にレーザダイオード２００を取り付ける際には、作業者は、図９に示すように、レーザダイオード２００の円筒部２０２を先に開口１０１Ａに入れ、支持部２０１が複数のリブ１０１Ｂによって支持されるように、レーザダイオード２００を圧入する。
【先行技術文献】
【特許文献】
【００１３】
【特許文献１】特開２００５−３１０３１９号公報
【発明の概要】
【発明が解決しようとする課題】
【００１４】
ところで、先述したように、レーザダイオードをレーザホルダの開口に圧入している。そのとき、レーザホルダの開口に対して左右方向に力が加わる。
【００１５】
一方で、レーザホルダには先述のように切欠が形成されているため、切欠が形成されている箇所の厚み（前後方向の大きさ）が小さくなっている。そのため、左右方向の力が加わると、左右方向に変形しやすい。
【００１６】
その結果、レーザホルダは、上下方向の薄型化を図るため切欠を大きくするほど、左右方向に変形しやすくなる。つまり、第１壁部１０４がより左側へ、第２壁部１０５がより右側に変形しやすくなる。
【００１７】
このように左右方向に変形した際には、レーザダイオードの支持力が小さくなる。そのため、特許文献１では、接着剤で、レーザダイオードとレーザホルダユニットとを接着させていた。ところが、接着剤で接着させる工程が増えるので、コストアップとなる。
【００１８】
また、先述のように、レーザダイオードをレーザホルダに圧入しているため、レーザホルダが左右方向に変形しやすいため、レーザダイオードの支持力が小さくなりやすい。そのため、レーザダイオードをレーザホルダに接着することにより、レーザダイオードの支持力の補強をしている。
【００１９】
ところが、レーザダイオードは高価であるため、リワークなどのために、再利用したいという要望がある。しかしながら、レーザダイオードが接着補強されているため、あとからレーザダイオードを取り出すことが困難である。そのため、レーザダイオードの再利用が困難である。また、レーザダイオードに不具合が生じても、レーザダイオードが接着補強されているので、レーザダイオードのみを交換しにくい。
【００２０】
本発明は、上述の課題を解決するためになされたものであり、レーザダイオードの保持力を低下させずに、レーザダイオードの取り付け、及び取り外しが容易なレーザホルダユニット、及びこれを用いた光ディスク装置を低コストで提供することを目的とする。
【課題を解決するための手段】
【００２１】
上記目的を達成するために、本発明の一態様に係るレーザホルダユニットは、レーザダイオードを保持するレーザホルダユニットであって、前記レーザダイオードを保持する保持部と、当該保持部を介して互いに対向する、第１側面及び第２側面と、を有する保持部材と、前記第１側面と前記第２側面とを、外方から前記保持部の方向に挟みつける保持強化部材と、を備える。
【００２２】
この構成によると、保持強化部材によって、保持部材の第１側面と第２側面とが、外方から保持部の方向に挟みつけられる。これにより、切欠を基準として保持部材が左右方向に広がることが抑制されるから、レーザダイオードの保持力が強化する。
【００２３】
また、前記レーザダイオードは、当該レーザダイオードを前記保持部材内で支持するための鍔状の支持部を有し、前記保持部材は、さらに、前記第１側面及び前記第２側面と交差する、２つの交差面を有し、前記２つの交差面のうちいずれか一方には、前記支持部を突出させる切欠が形成されていてもよい。
【００２４】
この構成によると、第１側面及び第２側面と交差する、２つの交差面のうち、いずれか一方には、レーザダイオードの鍔状の支持部を突出させる切欠が形成されている。
【００２５】
そのため、レーザダイオードの支持部の全ての収納するスペースを設ける必要がないので、上述の効果を奏しつつ、保持部材の上下方向の薄型化を図ることができる。
【００２６】
あるいは、前記レーザダイオードは、当該レーザダイオードを前記レーザホルダ内で支持するための鍔状の支持部を有し、前記保持部材は、さらに、前記第１側面及び前記第２側面と交差する、２つの交差面を有し、前記各交差面には、前記支持部を突出させる切欠が形成されていてもよい。
【００２７】
この構成によると、２つの交差面の双方に切欠が形成されているので、レーザダイオードの支持部が収まるスペースをより削減することができるので、保持部材の上下方向の薄型化を、一層、図ることができる。
【００２８】
また、前記保持強化部材には、前記レーザダイオードが有する複数の端子を、当該保持強化部材から突出させる開口が１つ形成されていてもよい。
【００２９】
この構成によると、保持強化部材には、レーザダイオードの複数の端子を保持強化部材から突出させる開口が形成されているので、各端子が露出した状態となる。そのため、各端子を回路基板に電気的に接続することが容易となる。
【００３０】
また、前記保持強化部材には、前記レーザダイオードが有する複数の端子の数だけ、各端子を前記保持強化部材から突出させる開口が形成されていてもよい。
【００３１】
この構成によると、レーザダイオードの複数の端子の数の分だけ、保持強化部材に開口を形成すればよいため、保持強化部材における放熱のための表面積が増加する。その結果、レーザダイオードの冷却効果を向上することができる。
【００３２】
また、前記レーザダイオードは、当該レーザダイオードの複数の端子が設けられた端子面を有し、前記保持強化部材は、当該保持強化部材によって前記第１側面と前記第２側面とが挟み付けた際に前記端子面と平行となる平行部を有し、前記平行部には、放熱凹部が形成されていてもよい。
【００３３】
この構成によると、保持強化部材によって、保持部材の第１側面と第２側面とが挟みつけられた際に、レーザダイオードの端子面と平行となる平行部を有し、当該平行部には放熱凹部が形成されている。これにより、平行部における放熱のための表面積が増加するので、レーザダイオードから生じる熱を効率よく放熱することができる。
【００３４】
また、前記保持強化部材は、前記第１側面に取り付けられる第１保持強化部材と、前記第２側面に取り付けられる第２保持強化部材とが連結して構成されていてもよい。
【００３５】
この構成によると、保持強化部材は、第１側面に取り付けられる第１保持強化部材と、第２側面に取り付けられる第２保持強化部材とが連結して構成されているので、第１側面及び第２側面の各々に、第１保持強化部材、第２保持強化部材を取り付け、その後、第１保持強化部材と第２保持強化部材とを連結すれば、第１側面と第２側面とが挟みつけられた状態となる。
【００３６】
これにより、保持強化部材を指で広げる必要がなく、第１側面と第２側面とを挟み込むことができるので、力のない作業者でも、保持強化部材によって第１側面と第２側面とを挟み込ませることができる。
【００３７】
また、前記保持部材及び前記保持強化部材は、金属材料で形成されていてもよい。
【００３８】
この構成によると、保持部材及び保持強化部材は金属材料から形成されている。一般的に、金属材料は熱伝導性が良いため、レーザダイオードによる熱の放熱効果を向上させることができる。
【００３９】
また、本発明の他の態様に係る光ディスク装置は、請求項１〜８のいずれか１項に記載のレーザホルダユニットと、光ディスクにレーザ光を照射し、当該光ディスクからの反射光を電圧信号に変換して、当該電圧信号を出力する光ピックアップ装置と、前記光ピックアップ装置により出力された前記電圧信号を処理して、前記光ディスクに記憶されているデータを再生する再生部と、を備える。
【００４０】
この構成によると、先述のレーザホルダユニットを備えるため、先述と同様の効果を奏することができる。
【発明の効果】
【００４１】
本発明によると、レーザダイオードの保持力を低下させずに、レーザダイオードの取り付け、及び取り外しが容易なレーザホルダユニット、及びこれを用いた光ディスク装置を低コストで提供することができる。
【図面の簡単な説明】
【００４２】
【図１】本発明の実施の形態１に係るＤＶＤプレイヤーの外観の一例を示した斜視図である。
【図２】ＤＶＤプレイヤーの機能構成の一例を示したブロック図である。
【図３】本発明の実施の形態１に係るレーザホルダユニットの一例を示した斜視図である。
【図４】図３のＡ−Ａ線断面図である。
【図５】本発明の実施の形態２に係るレーザホルダユニットの構成の一例を示した斜視図である。
【図６】本発明の実施の形態３に係るレーザホルダユニットの構成の一例を示した斜視図である。
【図７】図６のＢ−Ｂ線断面図である。
【図８】本発明の実施の形態４に係るレーザホルダユニットの構成の一例を示した斜視図である。
【図９】図８のＣ−Ｃ線断面図である。
【図１０】従来のレーザホルダの構成を示した斜視図である。
【図１１】従来のレーザホルダにレーザダイオードを取り付けた際に生じる課題について説明するための斜視図である。
【発明を実施するための形態】
【００４３】
以下、本発明の実施の形態について、図面を用いて詳細に説明する。なお、本実施の形態では、本発明の実施の形態に係る光ディスク装置としてＤＶＤプレイヤーを例示しているが、ブルーレイプレイヤー、ＤＶＤレコーダー、ブルーレイレコーダー、ヘッドアップディスプレイ、プロジェクタ、車載ＣＤプレイヤー、車載ＤＶＤプレイヤーなど、レーザを照射する装置であれば、何を用いてもよい。
【００４４】
また、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００４５】
（実施の形態１）
＜ＤＶＤプレイヤーの構成＞
図１は、本発明の実施の形態１に係るＤＶＤプレイヤーの外観の一例を示した斜視図である。図２は、ＤＶＤプレイヤーの機能構成の一例を示したブロック図である。
【００４６】
ＤＶＤプレイヤー１０００は、光ディスクであるＤＶＤに記憶されたデータを読み取り、図示しないテレビジョンに出力する光ディスク装置である。
【００４７】
ＤＶＤプレイヤー１０００は、その前面に、表示部３０７と、操作部３０８と、ＤＶＤ（光ディスク）を収納する収納部３０９とを備える。ユーザは、収納部３０９にＤＶＤを収納させ、操作部３０８を操作して、ＤＶＤに記録されているデータを読み取らせる。読み出されたデータはビデオ信号の形でテレビジョンに出力される。
【００４８】
なお、表示部３０７には、現在時刻が表示されているが、操作部３０８の操作方法を教示するガイド画像を表示してもよい。
【００４９】
ＤＶＤプレイヤー１０００は、スピンドルモータ３０１と、回転制御部３０２と、光ピックアップ装置３０３と、制御部３０４と、ＲＦアンプ３０５と、デコーダ３０６と、表示部３０７と、操作部３０８とを備える。
【００５０】
スピンドルモータ３０１は、収納部３０９に収納されたＤＶＤを回転させるモータである。回転制御部３０２は、スピンドルドルモータ３０１の回転を制御するユニットである。
【００５１】
光ピックアップ装置３０３は、本発明の実施の形態１に係るレーザホルダユニット１０を備え、ＤＶＤにレーザ光を照射し、そのときの反射光を検出し、当該反射光を電圧信号に変換して出力する装置である。
【００５２】
制御部３０４は、このＤＶＤプレイヤー１０００を統括的に制御するユニットである。制御部３０４は、ＣＰＵ（Central Processing Unit）、ＲＡＭ（Random Access Memory）、ＲＯＭ（Read Only Memory）などを組み合わせて構成されており、ＣＰＵが制御プログラムを実行することで実現される。
【００５３】
ＲＦアンプ３０５は、光ピックアップ装置３０３によって出力された電圧信号の電圧レベルを増幅するアンプである。デコーダ３０６は、ＲＦアンプ３０５によって電圧が増幅された電圧信号をデコードし、デコードした電圧信号をビデオ信号としてテレビジョンに出力するユニットである。
【００５４】
表示部３０７は、例えば、液晶パネルで構成されており、現在時刻のほか、ＤＶＤプレイヤー１０００の動作に必要な情報を表示するユニットである。操作部３０８は、再生ボタン、早送りボタンなどの各種ボタンから構成されており、ＤＶＤプレイヤー１０００が動作するのに必要な操作を行うために設けられている。
【００５５】
このＤＶＤプレイヤー１０００では、ＲＦアンプ３０５とデコーダ３０６とで再生部を構成している。この再生部の存在により、光ヒップアップ装置３０３により検出された反射光を処理して、当該反射光に基づくデータを再生する。
【００５６】
＜レーザホルダユニットの構成＞
図３は、本発明の実施の形態１に係るレーザホルダユニットの一例を示した斜視図である。図４は、図３のＡ−Ａ線断面図である。なお、以下の説明において、左方向を矢印Ｘ１で表し、右方向を矢印Ｘ２で表す。また、上方向を矢印Ｙ１で表し、下方向を矢印Ｙ２で表す。さらに、前方向を矢印Ｚ１で表し、後方向を矢印Ｚ２で表す。
【００５７】
レーザホルダユニット１０は、レーザダイオード２を保持するための保持部材１と、保持部材１を左右方向から挟み込むことによって、保持部材１におけるレーザダイオード２の保持力を強化する保持強化部材３とを備える。
【００５８】
保持部材１の基本的な構成は、図８及び図９に示したレーザホルダ１００と同様であるが、右側面及び左側面に、保持強化部材３を取り付けるための爪部１１Ａ及び１１Ｂを備えた点で、レーザホルダ１００とは異なる。
【００５９】
保持部材１は、亜鉛などの金属材料から構成されている。保持部材１の中心部には、レーザダイオード２を保持する保持部１１が形成されている。保持部１１は、図８に示すレーザホルダ１００の保持部１０１と同じ構成とされている。すなわち、保持部１１には、開口１０１Ａが形成されており、開口１０１Ａの方向には、複数のリブ１０１Ｂと、後述する支持部２３凹曲面１０１Ｃと、が設けられている。
【００６０】
保持部材１は、保持部１１を基準として、左側の第１壁部４と、右側の第２壁部５とを備える。
【００６１】
第１壁部４は左側に第１側面４０を有し、第２壁部５はその右側に第２側面５０を有する。保持部材１では、これら第１側面４０及び第２側面５０に直交するように、直交面６０が、保持部材１の上下に形成されている。なお、直交面６０は、第１側面４０及び第２側面５０と必ずしも直交することなく、第１側面４０及び第２側面５０と交差していればよい。
【００６２】
上下の直交面６０には、保持部材１の上下方向の長さを小さくして保持部材１の上下方向の薄型化を図るために、切欠４１が形成されている。
【００６３】
なお、切欠４１は、保持部材１の上下に形成しているが、本発明ではこの例には限られず、上或いは下の１つの直交面６０に切欠４１が形成されていてもよい。この場合、切欠４１が形成されていない側の直交面６０は、後述する支持部２３が収まるように、支持部２３の上下方向の長さだけ、上方向或いは下方向に幅を有して形成される必要がある。
【００６４】
レーザダイオード２は、従来のレーザダイオード２００と同様に、鍔状の支持部２０１と、円筒部２２と、複数の端子２３とを備える。
【００６５】
このレーザダイオード２を、保持部材１の保持部１１に収納させる際には、レーザダイオード２の円筒部２２が先に保持部１１に入るようにして、レーザダイオード２全体を保持部１１に嵌めこむ。そのとき、先述のように、直交面６０には切欠４１が形成されているので、支持部２３が切欠４１から突出する。
【００６６】
保持強化部材３は、保持部材１と同様に亜鉛などの金属材料から形成されている。保持強化部材３は、挟み込み部３２（１）、３２（２）を左右端部に備えている。左側の挟み込み部３２（１）は、保持部材の第１側面４０を押さえつける。一方で、右端の挟み込み部３２（２）は、保持部材の第２側面５０を押さえつける。
【００６７】
この押さえつけを可能とするために、図４に示すように、保持部材１の第１側面４０には爪部１１Ａが形成されている一方で、第２側面５０にも爪部１１Ｂが形成されている。
【００６８】
また、押さえつけを可能とするために、挟み込み部３２（１）の右側には、第１側面４０の爪部１１Ａが引っかかる引っかかり部３２Ａが形成されている。一方で、挟み込み部３２（２）の左側には、第２部材５０の爪部１１Ｂが引っかかる引っかかり部３２Ｂが形成されている。
【００６９】
保持強化部材３は、レーザダイオード２が保持部材１に保持された状態で上方から被せることにより、爪部１１Ａが引っかかり部３２Ａに引っかかる一方で、爪部１１Ｂが引っかかり部３２Ｂに引っかかる。これにより、保持強化部材３が保持部材１に取り付けられた状態となる。
【００７０】
また、保持強化部材３は、図３及び図４に示すように、当該保持強化部材３が保持部材１に取り付けられた際に、レーザダイオード２の端子面２４と平行となる平行部３１を有する。平行部３１には、複数の放熱凹部３１Ａ、３１Ｂを有している。
【００７１】
＜レーザホルダユニットの効果＞
先述のように、保持強化部材３によって、保持部材の第１側面４０及び第２側面５０の押さえつけが可能となるので、第１壁部４、第２壁部５がそれぞれ、左側、右側へ開きにくくなる。その結果、レーザダイオード２を保持部材１に圧入した場合でも、第１壁部４及び第２壁部５が左右方向に広がりにくくなるので、保持部材１に収納されたレーザダイオード２の保持力が向上する。
【００７２】
また、接着剤やネジなどを用いることなく、保持強化部材３を保持部材１に被せるようにして取り付けるだけで、レーザダイオード２の保持力を向上させているため、レーザダイオード２の取り付け及び取り外しを容易にすることができる。
【００７３】
その結果、レーザダイオード２の保持力を低下させずに、レーザダイオード２の取り付け及び取り外しが容易なレーザホルダユニット１０を低コストで提供することができる。
【００７４】
また、レーザダイオード２を、保持部材の第１側面４０と第２側面５０とを挟みつけるだけで、レーザダイオード２の保持力を強化しているため、リブ１０１Ｂの保持部１１の中心に向かう方向の長さを大きくしたり、リブ１０１Ｂの数を増やすなどをしなくても、よい。その結果、レーザダイオード２を保持部１１に収める際にリブ１０１Ｂによってレーザダイオード２の外延が削られることがない。
【００７５】
その結果、レーザダイオード２の削りカスが発生することがないので、削りカスがレーザダイオード２の光路上に付着し、レーザ光の出力値が小さくなってしまい、ＤＶＤなどに記録されたデータの読み出し能力が落ちてしまうことを未然に防止することができる。
【００７６】
さらに、レーザダイオード２の取り外しが先述のように容易であるので、レーザダイオード２のリワークが可能となる。
【００７７】
さらに、保持強化部材３は、先述のように、平行部３１に、複数の放熱凹部３１Ａ、３１Ｂを有しているので、平行部３１における放熱のための表面積が増加するので、レーザダイオード２から生じる熱を、大気中に効率よく放熱することができる。
【００７８】
さらに、保持部材１及び保持強化部材３は、亜鉛などの金属材料から形成されているので、レーザダイオード２の端子面２４から生じる熱の放熱効果がより向上する。
【００７９】
さらに、直交面６０には、支持部２３が突出する切欠４１が形成されているので、支持部２３が突出する分だけ、レーザホルダユニット１０の上下方向の長さを小さくすることができる。その結果、上下方向の薄型化が図れる。
【００８０】
（実施の形態２）
図５は、本発明の実施の形態２に係るレーザホルダユニットの構成の一例を示した斜視図である。なお、図３に示すレーザホルダユニット１０と同一の構成要素については同一の符号を付して説明を省略する。
【００８１】
レーザホルダユニット１０Ａでは、保持強化部材３Ａの平行部３１に、端子２３の数の分だけ、端子２３が突出する開口３２Ａが形成されている。これらの開口３２Ａの直径は、端子２３がショートしないように、端子２３に接触しない直径とされている。
【００８２】
このように、端子２３の数の分だけ、平行部３１に開口３２Ａを形成すればよいため、平行部３１における放熱のための表面積が増加する。その結果、レーザダイオード２の冷却効果を向上することができる。
【００８３】
（実施の形態３）
図６は、本発明の実施の形態３に係るレーザホルダユニットの構成の一例を示した斜視図である。図７は、図６のＢ−Ｂ線断面図である。なお、図３に示すレーザホルダユニット１０と同一の構成については同一の符号を付して説明を省略する。
【００８４】
レーザホルダユニット１０Ｂでは、保持強化部材３Ｂは、基準線Ｌを基準として、左側の第１保持強化部材３０Ａと、右側の第２保持強化部材３０Ｂとを連結することにより形成されている。
【００８５】
レーザホルダユニット１０Ｂでは、第１保持強化部材３０Ａと第２保持強化部材３０Ｂとの連結を可能とするために、第１保持強化部材３０Ａが爪部３４を有する一方で、第２保持強化部材３０Ｂが、爪部３４が嵌まり込む嵌まり込み部３５を有する。そして、爪部３４と嵌まり込み部３５とで連結部３６が形成されている。なお、先述とは逆に、第１保持強化部材３０Ａが、嵌まり込み部を有する一方で、第２保持強化部材３０Ｂが爪部を有していてもよい。
【００８６】
この構成によると、保持部材１の第１側面４０及び第２側面５０の各々に、第１保持強化部材３０Ａ、第２保持強化部材３０Ｂを取り付け、その後、第１保持強化部材３０Ａと第２保持強化部材３０Ｂとを連結すれば、第１側面４０と第２側面５０とが挟みつけられた状態となる。
【００８７】
これにより、保持強化部材３Ｂを指で広げる必要がなく、保持部材１の第１側面４０と第２側面５０とを挟み込むことができるので、力のない作業者でも、保持強化部材３Ｂによって第１側面４０と第２側面５０とを挟み込ませることができる。
【００８８】
（実施の形態４）
図８は、本発明の実施の形態４に係るレーザホルダユニットの構成の一例を示した斜視図である。図９は、図８のＣ−Ｃ線断面図である。なお、図５に示すレーザホルダユニット１０Ａと同一の構成については同一の符号を付して説明を省略する。
【００８９】
このレーザホルダユニット１０Ａにおいても、実施の形態３に係るレーザホルダユニット１０Ｂのように、第１保持強化部材３０Ａ及び第２保持強化部材３０Ｂを連結部３６で連結させることにより、保持強化部材３Ｃが構成されている。
【００９０】
この構成によると、実施の形態３と同じように、第１保持部材１の第１側面４０及び第２側面５０の各々に、第１保持強化部材３０Ａ、第２保持強化部材３０Ｂを取り付け、その後、第１保持強化部材３０Ａと第２保持強化部材３０Ｂとを連結すれば、第１側面４０と第２側面５０とが挟みつけられた状態となる。これにより、実施の形態３と同様の効果を奏することができる。
【００９１】
以上、本発明に係るレーザホルダユニットについて、実施の形態に基づいて説明したが、本発明は、このような実施の形態に限定されない。本発明の主旨を逸脱しない範囲で、実施の形態に対して当業者が思いつく各種変形を施して得られる形態、及び、実施の形態の構成要素を任意に組み合わせて得られる別の形態も、本発明に含まれる。
【産業上の利用可能性】
【００９２】
本発明は、例えば、ＤＶＤプレイヤー等、レーザダイオードを用いた装置に適用できる。
【符号の説明】
【００９３】
１  保持部材
１０、１０Ａ、１０Ｂ  レーザホルダユニット
２  レーザダイオード
１１  保持部
２２  端子
２３  鍔部
２４  端子面
３、３Ａ、３Ｂ  保持強化部材
１１Ａ、１１Ｂ  爪部
３０Ａ  第１保持強化部材
３０Ｂ  第２保持強化部材
３１  平行部
３１Ａ  放熱凹部
３２、３２Ａ  開口
３５  嵌まり込み部
３６  連結部
４０  第１側面
４１  切欠
５０  第２側面
６０  直交面
３００  ＤＶＤ
３０３  光ピックアップ装置
３０４  制御部
３０５  ＲＦアンプ
３０６  デコーダ
１０００  ＤＶＤプレイヤー
【図１】
2014235769.tif 000003
【図２】
2014235769.tif 000004
【図３】
2014235769.tif 000005
【図４】
2014235769.tif 000006
【図５】
2014235769.tif 000007
【図６】
2014235769.tif 000008
【図７】
2014235769.tif 000009
【図８】
2014235769.tif 000010
【図９】
2014235769.tif 000011
【図１０】
2014235769.tif 000012
【図１１】
2014235769.tif 000013